(57)【特許請求の範囲】
【請求項１】
スクリーンの端部に生地押さえを取着し、前記生地押さえを巻取軸に着脱可能に取着して前記スクリーンを前記巻取軸に巻取り可能としたロールブラインドのスクリーン取付装置において、
前記巻取軸の外周面には前記生地押さえを収容する取付凹部を設け、
前記生地押さえには、前記巻取軸に巻き取られた前記スクリーンの圧力で前記巻取軸の中心方向に変位して、前記スクリーンを前記巻取軸の外周面上で段差なく巻取り可能とする段差吸収手段を備えたことを特徴とするロールブラインドのスクリーン取付装置。
【請求項２】
前記取付凹部には、前記巻取軸の外周面に沿って延びる庇部を設け、
前記生地押さえには、
前記巻取軸の外周面の延長線上に延びる巻取り面と、
前記巻取り面から屈曲部を介して前記庇部内に延びるとともに、前記スクリーンを取着可能とした平坦部と
を備え、
前記屈曲部には、前記スクリーンの圧力で撓む弾性を備えて前記段差吸収手段を構成したことを特徴とする請求項１記載のロールブラインドのスクリーン取付装置。
【請求項３】
前記生地押さえを、弾性を備えた合成樹脂で成形したことを特徴とする請求項２記載のロールブラインドのスクリーン取付装置。
【請求項４】
前記屈曲部の裏面に、該屈曲部を撓み易くする溝を設けたことを特徴とする請求項３記載のロールブラインドのスクリーン取付装置。
【請求項５】
前記屈曲部に、該屈曲部を撓み易くする中空部を設けたことを特徴とする請求項３記載のロールブラインドのスクリーン取付装置。
【請求項６】
前記屈曲部に、該屈曲部を撓み易くする片持ち構造の案内片を設けたことを特徴とする請求項３記載のロールブラインドのスクリーン取付装置。
【請求項７】
前記中空部に、発泡樹脂を充填したことを特徴とする請求項５記載のロールブラインドのスクリーン取付装置。
【請求項８】
前記平坦部と前記屈曲部とを別体としたことを特徴とする請求項２記載のロールブラインドのスクリーン取付装置。
【請求項９】
スクリーンの端部に生地押さえを取着し、前記生地押さえを巻取軸に着脱可能に取着して前記スクリーンを前記巻取軸に巻取り可能としたロールブラインドのスクリーン取付装置において、
前記巻取軸の外周面には前記生地押さえを収容する取付凹部を設け、
前記生地押さえには、前記取付凹部との係合に基づいて前記巻取軸の内側に向かって変位して、前記スクリーンを前記巻取軸の外周面上で段差なく巻取り可能とする段差吸収手段を備えたことを特徴とするロールブラインドのスクリーン取付装置。
【発明の詳細な説明】
【技術分野】
【０００１】
この発明は、ロールブラインドのスクリーンを枠体に着脱可能に取着する取付装置に関するものである。
【背景技術】
【０００２】
ロールブラインドは、取付面に回転可能に支持された巻取軸からスクリーンが吊下支持される。そして、巻取軸の回転操作によりスクリーンを昇降させて採光量を適宜に調節可能としている。このようなロールブラインドではスクリーンを構成する生地の上端に生地押さえが縫製等により取着されるとともに、その生地押さえが巻取軸の外周面に設けられた取付凹部に取着されている。
【０００３】
そして、巻取軸をスクリーン巻取り方向に回転させると、スクリーンが巻取軸に巻き取られて引き上げられる。また、巻取軸をスクリーン巻戻し方向に回転させると、スクリーンが巻取軸から巻き戻されて下降する。
【０００４】
このようなロールブラインドでは、巻取軸にスクリーンを巻き取る際に、生地押さえの取付位置で段差が生じていると、この段差部分で巻き取られるスクリーンに巻取り痕が発生する。そして、スクリーンを下降させたとき、この巻取り痕が縞状に現れて美観を低下させるという問題点がある。
【０００５】
特許文献１には、巻取軸の取付凹部に取着される生地押さえが開示されている。特許文献２には、巻取軸の外周面上にスクリーンの生地の厚さ分の段差を設けることにより、スクリーンに巻取り痕が生じないようにしたスクリーン取付装置が開示されている。
【０００６】
また、特許文献３には巻取軸に弾性シートを介してスクリーンを巻き取ることにより、スクリーンに巻取り痕が生じないようにしたスクリーン取付装置が開示されている。特許文献４には、生地押さえの取付部分を覆う係合蓋を巻取軸に取着して、巻取軸の外周面上において、生地押さえ取付部分での段差の発生を防止するようにしたスクリーン取付装置が開示されている。
【先行技術文献】
【特許文献】
【０００７】
【特許文献１】実公平５−２６２３７
【特許文献２】実公昭５８−３４４２６
【特許文献３】特開２００３−２３２１７８
【特許文献４】特許第３４６６５７４号
【発明の概要】
【発明が解決しようとする課題】
【０００８】
特許文献１に記載されたスクリーン取付装置では、巻取軸の外周面上において生地押さえの取付位置で段差が生じているため、スクリーンに巻取り痕が生じる。
特許文献２に記載されたスクリーン取付装置では、巻取軸の外周面上に設ける段差をスクリーンの生地厚さに応じて変更する必要があるため、巻取軸の汎用性が低下する。また、スクリーンの上端部を巻取軸に接着剤で接着するので、スクリーンを巻取軸から取り外して洗濯することは容易ではない。
【０００９】
特許文献３に記載されたスクリーン取付装置では、スポンジ等の弾性シートを巻取軸の外周面上に貼り付ける必要があるとともに、スクリーンの上端を弾性シートに接着する必要がある。従って、スクリーンを巻取軸から取り外して洗濯することは容易ではない。
【００１０】
特許文献４に記載されたスクリーン取付装置では、巻取軸に係合蓋を取着する必要があるので、部品点数が増大し、組立てコストが増大する。また、係合蓋の厚さをスクリーンの生地の厚さに応じて変更する必要があるため汎用性が低下する。
【００１１】
この発明の目的は、スクリーンに巻取り痕が生じ難く、かつスクリーンを巻取軸から容易に取り外し可能とするとともに、スクリーンの生地の厚さの変化に対応可能としたスクリーン取付装置を提供することにある。
【課題を解決するための手段】
【００１２】
請求項１では、スクリーンの端部に生地押さえを取着し、前記生地押さえを巻取軸に着脱可能に取着して前記スクリーンを前記巻取軸に巻取り可能としたロールブラインドのスクリーン取付装置において、前記巻取軸の外周面には前記生地押さえを収容する取付凹部を設け、前記生地押さえには、前記巻取軸に巻き取られた前記スクリーンの圧力で前記巻取軸の中心方向に変位して、前記スクリーンを前記巻取軸の外周面上で段差なく巻取り可能とする段差吸収手段を備えた。
【００１３】
請求項２では、前記取付凹部には、前記巻取軸の外周面に沿って延びる庇部を設け、
前記生地押さえには、前記巻取軸の外周面の延長線上に延びる巻取り面と、前記巻取り面から屈曲部を介して前記庇部内に延びるとともに、前記スクリーンを取着可能とした平坦部とを備え、前記屈曲部には、前記スクリーンの圧力で撓む弾性を備えて前記段差吸収手段を構成した。
【００１４】
請求項３では、前記生地押さえを、弾性を備えた合成樹脂で成形した。
請求項４では、前記屈曲部の裏面に、該屈曲部を撓み易くする溝を設けた。
請求項５では、前記屈曲部に、該屈曲部を撓み易くする中空部を設けた。
【００１５】
請求項６では、前記屈曲部に、該屈曲部を撓み易くする片持ち構造の案内片を設けた。
請求項７では、前記中空部に、発泡樹脂を充填した。
請求項８では、前記平坦部と前記屈曲部とを別体とした。
【００１６】
請求項９では、スクリーンの端部に生地押さえを取着し、前記生地押さえを巻取軸に着脱可能に取着して前記スクリーンを前記巻取軸に巻取り可能としたロールブラインドのスクリーン取付装置において、前記巻取軸の外周面には前記生地押さえを収容する取付凹部を設け、前記生地押さえには、前記取付凹部との係合に基づいて前記巻取軸の内側に向かって変位して、前記スクリーンを前記巻取軸の外周面上で段差なく巻取り可能とする段差吸収手段を備えた。
【発明の効果】
【００１７】
本発明によれば、スクリーンに巻取り痕が生じ難く、かつスクリーンを巻取軸から容易に取り外し可能とするとともに、スクリーンの生地の厚さの変化に対応可能としたスクリーン取付装置を提供することができる。
【図面の簡単な説明】
【００１８】
【図１】ロールブラインドを示す断面図である。
【図２】第一の実施形態の生地取付装置を示す断面図である。
【図３】第一の実施形態の生地押さえを示す斜視図である。
【図４】第一の実施形態の生地取付装置の動作を示す断面図である。
【図５】第一の実施形態の生地取付装置の動作を示す断面図である。
【図６】第二の実施形態の生地押さえを示す斜視図である。
【図７】第三の実施形態の生地取付装置を示す断面図である。
【図８】第四の実施形態の生地取付装置を示す断面図である。
【図９】第五の実施形態の生地取付装置を示す断面図である。
【図１０】第六の実施形態の生地取付装置を示す断面図である。
【図１１】第七の実施形態の生地取付装置を示す断面図である。
【図１２】第八の実施形態の生地取付装置を示す断面図である。
【図１３】第九の実施形態の生地取付装置を示す断面図である。
【図１４】第十の実施形態の生地取付装置を示す断面図である。
【図１５】第十一の実施形態の生地取付装置を示す断面図である。
【図１６】第十二の実施形態の生地取付装置を示す断面図である。
【図１７】第十三の実施形態の生地取付装置を示す断面図である。
【図１８】第十三の実施形態の生地取付装置を示す断面図である。
【発明を実施するための形態】
【００１９】
（第一の実施形態）
以下、この発明を具体化した第一の実施形態を図面に従って説明する。図１に示すロールブラインドは、フレーム１の両端に一対の支持ブラケット２が取着されるとともに、その支持ブラケット２間に巻取軸３が回転可能に支持されている。
【００２０】
前記巻取軸３からスクリーン４が垂下され、そのスクリーン４の下端にボトムレール５が取着されている。そして、操作装置（図示しない）の操作により巻取軸３をスクリーン巻取り方向に回転させると、スクリーン４が巻取軸３に巻き取られてボトムレール５が引き上げられる。また、巻取軸３をスクリーン巻戻し方向に回転させると、スクリーン４が巻取軸３から巻戻されてボトムレール５が下降する。
【００２１】
前記スクリーン４は、その上端部が生地押さえ６を介して前記巻取軸３に取着されている。前記巻取軸３はアルミの形材で円筒状に形成されるとともに、図２に示すように、その外周面上に取付凹部７が形成されている。
【００２２】
前記取付凹部７には、その底面から係止突条８が巻取軸３の径方向に突出されている。前記係止突条８の先端部には膨径部９が形成されている。また、前記取付凹部７の一側には前記巻取軸３の外周面を延長するように庇部１１が形成されている。
【００２３】
図３に示すように、前記生地押さえ６は弾性を有する軟質合成樹脂で前記巻取軸３とほぼ同一長さを備えた板状に成形されている。前記生地押さえ６の断面基端側には、前記膨径部９を嵌合可能とした嵌合溝１０が形成されている。
【００２４】
前記生地押さえ６には、前記嵌合溝１０を前記係止突条８に嵌合した状態で、前記巻取軸３の外周面の延長線に沿う巻取り面６ａが形成されている。前記生地押さえ６の断面先端側は屈曲部１２で屈曲されて、前記庇部１１の下方に挿入可能とした平坦部１３が形成されている。
【００２５】
そして、生地押さえ６の平坦部１３を庇部１１の下方に挿入した状態で、嵌合溝１０を係止突条８の膨径部９に嵌合すると、生地押さえ６が取付凹部７に保持されるとともに、生地押さえ６の巻取り面６ａは巻取軸３の外周面の延長線上に位置する。
【００２６】
前記生地押さえ６の断面基端側端部には指掛け１４が形成され、その指掛け１４を指先で引き起こすことにより、嵌合溝１０と係止突条８との嵌合を解除して、生地押さえ６を取付凹部７から取り外し可能となっている。
【００２７】
このような生地押さえ６でスクリーン４の上端を巻取軸３に取着するには、スクリーン４の上端部を生地押さえ６の平坦部１３の裏面から表面に巻き回し、この状態でスクリーン４の上端部を平坦部１３に縫着する。
【００２８】
そして、平坦部１３を前記庇部１１の下方に挿入し、生地押さえ６の嵌合溝１０を係止突条８の膨径部９に嵌合すると、スクリーン４が生地押さえ６を介して取付凹部７に固定される。
【００２９】
この状態では、図２に示すように、スクリーン４は庇部１１と平坦部１３の間から屈曲部１２及び生地押さえ６の上面を経て巻取軸３の外周面に案内されて、スクリーン４に作用する荷重により平坦部１３が庇部１１に押し付けられる。すると、スクリーン４の上端部が平坦部１３と庇部１１との間に挟着される。
【００３０】
この状態から、スクリーン４が巻取軸３に１周回巻き取られ、屈曲部１２上にスクリーン４が積層されると、ボトムレール５の荷重がスクリーン４に対し矢印Ａ方向に作用し、その荷重の分力が前記屈曲部１２に矢印Ｂ方向すなわち巻取軸３の中心方向に作用する。
【００３１】
すると、屈曲部１２が矢印Ｂ方向に撓み、屈曲部１２上に接する初周回目のスクリーン４の表面が巻取軸３の外周面の延長線上に近い位置となる。
そして、２周回目のスクリーン４は、図４に示すように、巻取軸３の庇部１１から生地押さえ６の屈曲部１２にかけて段差を生じることなく同巻取軸３の外周面に対しほぼ同心円状に滑らかに巻き取られる。図５に示すように、さらに上層に巻き取られるスクリーン４も同様に滑らかに巻き取られる。この結果、屈曲部１２上に積層されるスクリーン４に巻取り痕が生じ難い。
【００３２】
上記のように構成されたロールブラインドのスクリーン取付装置では、次に示す作用効果を得ることができる。
（１）スクリーン４を巻取軸３に段差を生じさせることなく巻き取ることができる。従って、スクリーン４での巻取り痕の発生を防止することができる。
（２）巻取軸３に巻き取られるスクリーン４により、生地押さえ６の屈曲部１２を巻取軸３の中心に向かって撓ませることができる。従って、スクリーン４に段差を生じさせることなく、同スクリーン４を巻取軸３に巻き取ることができる。
（３）スクリーン４に作用するボトムレール５の荷重により、生地押さえ６の屈曲部１２を巻取軸３の中心方向に自動的に撓ませることができる。
（４）スクリーン４の生地の厚さが変わっても、その厚さ分だけ屈曲部１２を自動的に撓ませることができる。従って、共通の生地押さえ６で生地の厚さの異なるスクリーン４に対応することができる。
（５）平坦部１３を取付凹部７の庇部１１の下方に挿入し、この状態で取付凹部７の係止突条８に嵌合溝１０を嵌合することにより、生地押さえ６を巻取軸３の取付凹部７に容易に取着することができる。
（６）生地押さえ６を取付凹部７から容易に取り外すことができる。従って、スクリーン４を巻取軸３から取り外して洗濯することも容易である。
（７）生地押さえ６の平坦部１３にスクリーン４の上端部を容易に縫着することができる。
（第二の実施形態）
図６は、第二の実施形態を示す。この実施形態の生地押さえ６は、屈曲部１２の近傍において、生地押さえ６の長手方向に多数の透孔１５が直線状に形成されている。その他の構成は、第一の実施形態と同様である。このような構成により、生地押さえ６の屈曲部１２をさらに撓み易くすることができる。
（第三の実施形態）
図７は、第三の実施形態を示す。この実施形態は、巻取軸３の取付凹部７に嵌合溝１６を設け、生地押さえ６に係止突条１７を設けたものである。その他の構成は、第一の実施形態と同様である。このような構成により、生地押さえ６を巻取軸３に容易に着脱することができる。
（第四の実施形態）
図８は、第四の実施形態を示す。この実施形態は、嵌合溝１０を係止突条８に対し若干回動可能とする形状としたものである。このような構成により、生地押さえ６上にスクリーン４が巻き取られると、生地押さえ６が係止突条８を回動支点として若干回動して、屈曲部１２が取付凹部７内に矢印Ｃ方向に没するように回動する。
【００３３】
この結果、屈曲部１２部分でのスクリーン４への巻取り痕の発生を防止することができる。
また、嵌合溝１０を係止突条８に対し回動可能としたことにより、生地押さえ６を係止突条８から外しやすいので、指掛けを短くし、取付凹部７の開口縁が生地押さえ６側に延長されている。
（第五の実施形態）
図９は、第五の実施形態を示す。この実施形態は、生地押さえ６の裏面に断面Ｖ字状の溝１８を形成したものである。その他の構成は、第一の実施形態と同様である。
【００３４】
このような構成により、生地押さえ６の屈曲部１２を撓み易くすることができる。
（第六の実施形態）
図１０は、第六の実施形態を示す。この実施形態は、生地押さえ６の屈曲部１２の下方に中空部１９を設けたものである。このような構成により、生地押さえ６の屈曲部１２を撓み易くすることができる。
（第七の実施形態）
図１１は、第七の実施形態を示す。この実施形態の生地押さえ６は、取付凹部７内に収容可能とした板状に形成されるとともに、その上面にはスクリーン４を取付凹部７内から巻取軸３の外周面に案内する案内片２０ａが形成されている。案内片２０ａは、前記第一の実施形態の屈曲部に相当し、片持ち構造とすることにより、巻取軸３に巻き取られるスクリーン４により、巻取軸３の中心に向かって撓ませることができる。従って、スクリーン４での巻取り痕の発生を防止することができる。
（第八の実施形態）
図１２は、第八の実施形態を示す。この実施形態の生地押さえ６は、中空部２１の端部を開口することにより、片持ちの案内片２０ｂが形成されて、屈曲部１２をさらに撓み易くしている。
（第九の実施形態）
図１３は、第九の実施形態を示す。この実施形態の生地押さえ６は、第一の実施形態の係止突条８及び嵌合溝１０を設けることなく、生地押さえ６の基端部を取付凹部７の開口縁に係合させて保持する構成としたものである。その他の構成は、第八の実施形態と同様である。このような構成により、第八の実施形態と同様な作用効果を得ることができる。
（第十の実施形態）
図１４は、第十の実施形態を示す。この実施形態の生地押さえ６は、第六の実施形態と同様な中空部１９に発泡樹脂２２を充填したものである。このような構成により、屈曲部１２の撓み易さを調整することができる。
（第十一の実施形態）
図１５は、第十一の実施形態を示す。この実施形態の生地押さえ６は、平坦部と屈曲部とを別体としたものである。すなわち、生地押さえ６の先端側に、スクリーン４の上端を縫着した平板状の取付片２３が平坦部として嵌合され、その状態で生地押さえ６が取付凹部７に取着される。生地押さえ６の先端部には、スクリーン４を縫着するための平坦部を設ける必要はない。
【００３５】
このような構成により、上記各実施形態に比して、スクリーン４の縫着作業を容易に行うことができる。
（第十二の実施形態）
図１６は、第十二の実施形態を示す。この実施形態の生地押さえ６は、第一の実施形態の係止突条８及び嵌合溝１０を設けることなく、生地押さえ６の基端部を取付凹部７の開口縁に係合させて保持する構成としたものである。
【００３６】
生地押さえ６の基端部には、巻取軸３の外周面に沿って延びるとともに、基端縁に向かって徐々に肉薄となる舌片２４が形成されている。そして、舌片２４の表面が巻取軸３の外周面の延長線上に位置するように、巻取軸３の外周面が若干抉られている。
【００３７】
このような構成により、第一の実施形態と同様な作用効果を得ることができるとともに、生地押さえ６の基端側において、生地押さえ６と巻取軸３との間に段差が生じない。
（第十三の実施形態）
図１７及び図１８は、第十三の実施形態を示す。この実施形態の生地押さえ６は、図１７に示すように、嵌合溝１０から屈曲部１２までの距離Ｌが前記第一の実施形態の生地押さえに比して若干大きく形成されている。そして、図１８に示すように、スクリーン４の上端部を取着した平坦部１３を庇部１１の下方に挿入し、嵌合溝１０を膨径部９に嵌合すると、屈曲部１２が庇部１１の先端に押し付けられるようになっている。その他の構成は、第一の実施形態と同様である。
【００３８】
このような構成により、生地押さえ６を取付凹部７に取着すると、屈曲部１２が巻取軸３の内側に向かって撓む。このとき、屈曲部１２の撓み量はスクリーン４の生地が厚くなるほど大きくなり、屈曲部１２上のスクリーン４の表面はほぼ巻取軸３の外周面の延長線上に位置する。
【００３９】
従って、２周回目のスクリーン４を巻取軸３の庇部１１から生地押さえ６の屈曲部１２にかけて段差を生じることなく同巻取軸３の外周面に対しほぼ同心円状に滑らかに巻き取ることができる。さらに上層に巻き取られるスクリーン４も同様に滑らかに巻き取ることができる。この結果、屈曲部１２上に積層されるスクリーン４に巻取り痕が生じ難い。
【００４０】
また、生地押さえ６を取付凹部７から取り外す場合には、その指掛け１４を指先で引き起こすことにより、第一の実施形態と同様に嵌合溝１０と係止突条８との嵌合を解除して、生地押さえ６を取付凹部７から容易に取り外すことができる。
【００４１】
上記実施形態は、以下の態様で実施してもよい。
・生地押さえを、例えば弾性を有する金属等、合成樹脂以外の材質としてもよい。
【符号の説明】
【００４２】
４…スクリーン、６…生地押さえ、６ａ…巻取り面、７…取付凹部、１１…庇部、１２…屈曲部（段差吸収手段）、１３…平坦部、１９…中空部。
【図１】
0005438555.tif 000002
【図２】
0005438555.tif 000003
【図３】
0005438555.tif 000004
【図４】
0005438555.tif 000005
【図５】
0005438555.tif 000006
【図６】
0005438555.tif 000007
【図７】
0005438555.tif 000008
【図８】
0005438555.tif 000009
【図９】
0005438555.tif 000010
【図１０】
0005438555.tif 000011
【図１１】
0005438555.tif 000012
【図１２】
0005438555.tif 000013
【図１３】
0005438555.tif 000014
【図１４】
0005438555.tif 000015
【図１５】
0005438555.tif 000016
【図１６】
0005438555.tif 000017
【図１７】
0005438555.tif 000018
【図１８】
0005438555.tif 000019